(57)【特許請求の範囲】
【請求項１】
減速ギヤボックス（１０）に機械的に結合され、または減速ギヤボックス（１０）から分離され得るように構成された動力シャフト（８）に取り付けられた、ガス発生器（６）およびフリータービン（７）が中に配置されたケーシング（５）を備えるターボシャフトエンジンであって、
少なくとも１つのセントライザ（１２）が、前記動力シャフト（８）のための軸受を形成し、前記動力シャフト（８）と前記減速ギヤボックス（１０）との間の機械的分離に相当する作動位置として知られている位置と、少なくとも１つのセントライザ（１２）が、前記動力シャフト（８）から離され、前記動力シャフト（８）と前記減速ギヤボックス（１０）との間の機械的結合に相当する、受動位置として知られている位置との間を移動できる少なくとも１つのセントライザ（１２）を備えることを特徴とする、ターボシャフトエンジン。
【請求項２】
少なくとも１つのセントライザ（１２）が、前記動力シャフト（８）を前記減速ギヤボックス（１０）に結合する間に、前記作動位置から前記受動位置まで自動的に通過できるように、および少なくとも１つのセントライザ（１２）が、前記動力シャフト（８）を前記減速ギヤボックス（１０）から分離する間に、前記受動位置から前記作動位置まで自動的に通過できるように、構成されることを特徴とする、請求項１に記載のターボシャフトエンジン。
【請求項３】
少なくとも１つのセントライザ（１２）が、前記動力シャフトの軸線（Ｘ’Ｘ）に平行な軸線を含み、前記ケーシング（５）の円錐形部分（１４）と同じ形状の円錐形ガイドランプ（１３）を備え、その結果、前記ケーシング（５）の前記円錐形部分（１４）上を前記円錐形ガイドランプ（１３）が摺動することにより、前記動力シャフト（８）に対して前記セントライザ（１２）を移動させることを特徴とする、請求項２に記載のターボシャフトエンジン。
【請求項４】
前記ケーシング（５）とセントライザ（１２）との間に、前記動力シャフト（８）に垂直に取り付けられた少なくとも１つの径方向ばね（１６）と、前記ケーシング（５）とこのセントライザ（１２）との間に延在する少なくとも１つの軸方向ばね（１７）とを備え、前記少なくとも１つの径方向ばね（１６）および前記少なくとも１つの軸方向ばね（１７）が、ケーシングに対して固定され、セントライザに対して摺動可能であるように取り付けられており、前記径方向ばね（１６）および前記軸方向ばね（１７）によって、前記ケーシング（５）の前記円錐形部分（１４）上を前記円錐形ガイドランプ（１３）が自発的に摺動することに対抗する合力を前記ケーシング（５）に向かって及ぼすことができることを特徴とする、請求項３に記載のターボシャフトエンジン。
【請求項５】
少なくとも１つのセントライザ（１２）が、前記動力シャフト（８）の軸線（Ｘ’Ｘ）に対して垂直な平面内で、減速ギヤボックス（１０）の軸受面に対向して延在する停止部（１５）を備えて、その結果、前記動力シャフト（８）と前記減速ギヤボックス（１０）との間の機械的結合が、前記軸受面と前記停止部（１５）との間の機械的接触を生成し、機械的接触は、前記少なくとも１つの径方向ばね（１６）および前記少なくとも１つの軸方向ばね（１７）の圧縮を介して、前記セントライザ（１２）に通じ、動力シャフト（８）のための軸受を形成する前記作動位置から、前記セントライザ（１２）が動力シャフト（８）から離れている前記受動位置まで前記セントライザ（１２）が前記ケーシング（５）の前記円錐形部分（１４）上を摺動することを特徴とする、請求項４に記載のターボシャフトエンジン。
【請求項６】
少なくとも１つのセントライザ（１２）が、前記動力シャフト（８）との凹状の接触面（１８）を含み、その結果、作動位置で前記動力シャフト（８）を少なくとも部分的に取り囲むことを特徴とする、請求項１から５のいずれか一項に記載のターボシャフトエンジン。
【請求項７】
前記動力シャフト（８）の周りに配置された少なくとも２つのセントライザ（４２、４３；４４、４５、４６）を備えることを特徴とする、請求項１から６のいずれか一項に記載のターボシャフトエンジン。
【請求項８】
請求項１から７のいずれか一項に記載の少なくとも１つのターボシャフトエンジンを備えるヘリコプター。
【発明の詳細な説明】
【技術分野】
【０００１】
本発明は、航空機用のターボシャフトエンジン、特に、軸受の１つが減速ギヤボックスの中に移動されるフリータービンを含むターボシャフトエンジンに関する。
【背景技術】
【０００２】
ターボシャフトエンジンは、既知の方法で、ガス発生器と、動力シャフトとして知られているシャフトに取り付けられたフリータービンとを含む。この動力シャフトは、減速ギヤボックスに機械的に結合され得るように構成されている。この減速ギヤボックスは、例えば、ヘリコプターの場合、ヘリコプターのロータに結合された動力伝達ギヤボックスである。フリータービンの動力シャフトと減速ギヤボックスとが機械的に結合される場合、動力シャフトの動力が動力伝達ギヤボックスに伝達され、これによってヘリコプターのロータを回転させることができる。
【０００３】
フリータービンの動力シャフトは、ガス発生器によって生成されたガスを受け取り、それらの圧力を減少させ、受け取られたガスの運動エネルギーを、動力シャフトによって回収される機械エネルギーに変換することを可能にするフリータービンによって回転駆動される。
【０００４】
したがって、動力シャフトは、減速ギヤボックスに結合されるように構成された動力端として既知の一方の端部と、フリータービンのブレードを一般的に支持する自由端と呼ばれる反対側の端部との２つの端部を備える。
【０００５】
加えて、現在の傾向は、減速ギヤボックスに直接嵌着され得るターボシャフトエンジンを設計することである。一体化され得るこの種のターボシャフトエンジンは、減速ギヤボックス上に直接取り付けられ、この減速ギヤボックスによって保持され得るように構成されている。したがって、動力シャフトと減速ギヤボックスとの間の機械的結合は、はめ込み結合である。このはめ込みは、垂直、水平または斜めとすることができる。この機能により、航空機のドライブトレイン全体にわたる質量を大幅に節約することが可能である。一体化され得るターボシャフトエンジンは、例えばターボシャフトエンジンのメンテナンス作業のために、減速ギヤボックスから容易く取り外され得るという利点をさらに有する。
【０００６】
この状況で、動力シャフトの動力端の軸受を直接減速ギヤボックスの中に移動させることが意図されている。この特定の配置により、ターボシャフトエンジンおよび減速ギヤボックスによって形成されるドライブトレインの軸方向の長さを最小にすることが可能になる。さらに、エンジンと減速ギヤボックスとの間のこの結合は、伝達システム、すなわちジンバルおよび「フレクターズ（ｆｌｅｃｔｏｒｓ）」または「ベンディックス（Ｂｅｎｄｉｘ）」タイプのシステムをなくすことによって単純化される。
【０００７】
減速ギヤボックス内の動力シャフトの動力端のための軸受のこの配置から生じる技術的問題の１つは、動力シャフトが減速ギヤボックスに嵌着されていない場合、動力シャフトは動力軸受によって、もはや保持されないことである。その結果として、タービンエンジンが減速ギヤボックスに嵌着されていないすべての状況において、例えば、ターボシャフトエンジンを製造または維持管理場所から、ターボシャフトエンジンを航空機に取り付けるための場所まで運搬中、ターボシャフトエンジンの保管中など、シャフトの径方向の振動によって、ターボシャフトエンジンのシールシステムおよび転がり軸受が損傷する危険性がある。例えば、シャフトの径方向の振動は、カーボンリングまたはリップシールを有する動的シールタイプのシールシステムに損傷を生じさせる可能性がある。保持のない状態は、空気システムによって供給されるラビリンスシールの場合、例えば保持されていない動力シャフトと径方向に接触するラビリンス歯との間の接触によって、ロータとステータとの接触をさらに引き起こす可能性がある。
【発明の概要】
【発明が解決しようとする課題】
【０００８】
本発明は、本発明の少なくとも１つの実施形態において、従来技術のターボシャフトエンジンが直面する技術的問題の少なくともいくつかを克服するターボシャフトエンジンを提供することを目的とする。
【０００９】
本発明はまた、本発明の少なくとも１つの実施形態において、ターボシャフトエンジンが減速ギヤボックスから機械的に分離される場合を含めて、減速ギヤボックスに嵌着されることができ、そのシールシステムおよび、または転がり軸受に損傷を与える可能性が低いターボシャフトエンジンを提供することを目的とする。
【００１０】
本発明はまた、少なくとも１つの実施形態において、ターボシャフトエンジンが減速ギヤボックスから機械的に分離される場合を含めて、動力シャフトの動力端の軸受を保持することを可能にするはめ込み可能なターボシャフトエンジンを提供することを目的とする。
【００１１】
本発明はまた、少なくとも１つの実施形態において、本発明による少なくとも１つのターボシャフトエンジンを装備する航空機、特にヘリコプターを提供することを目的とする。
【課題を解決するための手段】
【００１２】
これを実施するために、本発明は、減速ギヤボックスに機械的に結合、または分離されることができるように構成された動力シャフトに取り付けられたガス発生器とフリータービンとが配置されたケーシングを含むターボシャフトエンジンに関する。
【００１３】
本発明によるターボシャフトエンジンが、前記動力シャフトのための軸受を形成し、前記動力シャフトと前記減速ギヤボックスとの間の機械的分離に相当する作動位置として知られる位置と、前記動力シャフトから離され、前記動力シャフトと前記減速ギヤボックスとの間の機械的結合に相当する受動位置として知られている位置との間で移動できる少なくとも１つのセントライザを備えることを特徴とする。
【００１４】
したがって、本発明によるターボシャフトエンジンは、動力シャフトのための軸受を形成し、ターボシャフトエンジンが減速ギヤボックスから分離された場合、ターボシャフトエンジンが動力シャフトを自己保持することができる作動位置に配置されるように適合された可動セントライザを装備する。加えて、動力シャフトが減速ギヤボックスに機械的に結合されている場合、可動セントライザは受動位置にあり、その場合、動力シャフトから径方向に離れており、このシャフトを任意の機械的制約から解放する。
【００１５】
したがって、本発明によるターボシャフトエンジンは、具体的には、減速ギヤボックスに嵌着可能なターボシャフトエンジンを形成することを意図される。
【００１６】
したがって、この種のはめ込み可能なターボシャフトエンジンは、前記ターボシャフトエンジンが前記減速ギヤボックスから分離される場合、前記動力シャフトのための軸受を形成し、前記動力シャフトと前記減速ギヤボックスとの間の機械的分離に相当する作動位置と、前記ターボシャフトエンジンが前記減速ギヤボックスに嵌着される場合、セントライザが前記動力シャフトから離され、前記動力シャフトと前記減速ギヤボックスとの間の機械的結合に相当する受動位置との間で移動できる少なくとも１つのセントライザを備える。
【００１７】
したがって、ターボシャフトエンジンの格納、ターボシャフトエンジンの嵌着、または取り外し、ターボシャフトエンジンの運搬などの、ターボシャフトエンジンが減速ギヤボックスに嵌着されていないすべての状況において、フリータービンの動力シャフトが可動セントライザによって定位置に保持され、そのとき、可動セントライザは作動位置にあり、動力シャフトのための軸受を形成する。
【００１８】
実際には、動力シャフトは、それぞれの端部の近傍に少なくとも１つの軸受を備える。減速ギヤボックスの近傍の端部は、動力端として知られており、他方の端部は、自由端として知られている。自由端のための軸受は、ターボシャフトエンジンのケーシング上に位置する軸受ハウジングによって形成される。動力端のための軸受は、可動セントライザが作動位置にあることによって形成される。一旦減速ギヤボックスに嵌着されると、軸受が減速ギヤボックスによって直接形成され、次いで減速ギヤボックスは、作動位置にある可動セントライザによって形成される軸受に取って代わる。
【００１９】
有利には、本発明によれば、少なくとも１つの可動セントライザ、好ましくは各可動セントライザが、前記動力シャフトを前記減速ギヤボックスに結合する間に前記作動位置から前記受動位置まで自動的に通過できるように、および少なくとも１つの可動セントライザが、前記減速ギヤボックスから前記動力シャフトが分離する間に前記受動位置から前記作動位置まで自動的に通過できるように、構成される。
【００２０】
この有利な変形形態によれば、受動位置から作動位置までの移行は自動的であり、減速ギヤボックスと動力シャフトとの機械的分離に付随しており、作動位置から受動位置までの移行は自動的であり、ターボシャフトエンジンを減速機に嵌着することに付随している。
【００２１】
この作動位置から受動位置までの移行およびその逆の移動が自動的であるので、ターボシャフトエンジンを減速ギヤボックスに嵌着すること、またはそれを減速ギヤボックスからの取り外すことは、可動セントライザに嵌着されていないターボシャフトエンジンと比較して、用心する必要性がより少なくなる。これは、ターボシャフトエンジンの取り外し中、動力シャフトのための軸受を形成する可動セントライザが、自動的に自ら位置決めし、ターボシャフトエンジンが減速ギヤボックスに嵌着される場合には、セントライザがシャフトを自動的に解放するからである。したがって、本発明のこの変形形態によるターボシャフトエンジンの作業は、作業者にとって、操作中にターボシャフトエンジンを嵌着し、または取り外すことが特に容易である。
【００２２】
有利には、本発明によれば、少なくとも１つの可動セントライザ、好適には各可動セントライザが、前記動力シャフトの軸線に平行な軸線を含み、前記ケーシングの円錐形部分と同じ形状の円錐形ガイドランプを備え、その結果、前記円錐形ガイドランプが前記ケーシングの前記円錐形部分上を摺動することによって、前記動力シャフトに対して前記可動セントライザを移動させる。
【００２３】
この変形形態によれば、可動セントライザは、ターボシャフトエンジンのケーシングの円錐形部分と同じ形状の円錐形ガイドランプを含む。このガイドランプの軸線が動力シャフトの軸線に平行であるので、ランプの傾斜は動力シャフトの軸線に対して傾斜している。したがって、セントライザがケーシングの円錐形部分上を摺動することによって、ケーシングの円錐形部分に対するセントライザの移動方向に依存して、作動位置から受動位置まで、またはその逆に、動力シャフトに対してセントライザの移動が起こる。
【００２４】
有利には、本発明によるターボシャフトエンジンは、前記ケーシングと可動セントライザとの間に、前記動力シャフトに垂直に取り付けられた少なくとも１つのばねと、前記ケーシングとこの可動セントライザとの間に延在する少なくとも１つの軸方向ばねとを備え、前記ばねが、ケーシングに対して固定され、可動セントライザに対して摺動可能であるように取り付けられており、前記ばねによって、前記ケーシングの前記円錐形部分上の前記ガイドランプの自発的な摺動に対抗する合力を前記ケーシングに向かって及ぼすことができる。
【００２５】
他の変形形態によれば、これらのばねは、他の同等の弾性手段によって取り替えられる。
【００２６】
追加の変形形態によれば、ばねまたは弾性手段は動力シャフトの軸線に対して傾斜している。
【００２７】
これらの異なる変形形態によれば、ばね（または同等の弾性手段）は、ケーシングに向かって円錐形部分上のガイドランプの自発的な摺動に対抗する。言い換えれば、外部の制約がない場合、セントライザの円錐形ランプは、ケーシングの円錐形部分と接触していない。外部の拘束がない場合、ばねは、動力シャフトのための軸受を形成することができるように、可動セントライザを動力シャフトに向かって押し戻す。ばねは、可動セントライザに沿って摺動可能に取り付けられ、ケーシングに対して固定されるので、各ばねは、セントライザの移動を垂直方向に制約することなく、可動セントライザを好ましい方向に移動させる。移動の組み合わせは、ガイドランプに沿った移動を形成する。
【００２８】
反対に、ケーシングに向かってセントライザに外力が加えられるならば、ガイドランプはケーシングの円錐形部分上を摺動し、動力シャフトから離れて径方向に移動する。
【００２９】
この目的のために、有利にかつ本発明によれば、可動セントライザが、前記動力シャフトの軸線に対して垂直な平面内で、減速ギヤボックスの軸受面の反対側に延在する停止部を備えて、その結果、前記動力シャフトと前記減速ギヤボックスとの間の機械的結合が、前記軸受面と前記停止部との間の機械的接触を生成し、機械的接触は、前記ばねの圧縮を介して、前記セントライザに通じ、動力シャフトのための軸受を形成する前記作動位置から、前記セントライザがシャフトから離れている前記受動位置へ前記セントライザが前記ケーシングの前記円錐形部分上を摺動する。
【００３０】
この変形形態によれば、ターボシャフトエンジンを減速ギヤボックスに嵌着することにより生じる、減速ギヤボックスの軸受面と可動セントライザの停止部との間の接触は、自動的にセントライザがケーシングの円錐形部分上を摺動し、したがって可動セントライザが動力シャフトから離れることになる。したがって、可動セントライザは、自動的に受動位置に移動する。反対に、ターボシャフトエンジンが減速ギヤボックスから分離されるとすぐに、セントライザの停止部は、もはや減速ギヤボックスによって制約されず、したがってばねは、セントライザを動力シャフトに向かって押し戻し、それによってシャフトのための支持軸受を形成する。
【００３１】
有利には、本発明によれば、少なくとも１つの可動セントライザ、好適には各可動セントライザは、作動位置で前記シャフトを少なくとも部分的に取り囲むように、前記動力シャフトと接触する凹面を有する。
【００３２】
別の変形形態によれば、少なくとも１つの可動セントライザは、前記動力シャフトとの接触凸面を有する。
【００３３】
有利には、本発明によるターボシャフトエンジンは、前記動力シャフトの周りに配置された少なくとも２つの可動セントライザを含む。
【００３４】
本発明はまた、本発明による少なくとも１つのターボシャフトエンジンを備える航空機、特にヘリコプターに関する。
【００３５】
本発明は、ターボシャフトエンジンおよびターボシャフトエンジンを備えた航空機にも関し、これらは上述のまたは下述の特徴のすべてまたはいくつかを組み合わせることを特徴とする。
【００３６】
本発明の他の目的、特徴および利点は、添付の図面を参照して単に限定しない説明として与えられる、以下の説明を読むことによって明らかになる。
【図面の簡単な説明】
【００３７】
【図１】減速ギヤボックスに嵌着されたターボシャフトエンジンの横断面図である。
【図２】本発明の一実施形態によるターボシャフトエンジンの詳細の横断面図であり、セントライザが受動位置にあることを示す図である。
【図３】本発明の一実施形態によるターボシャフトエンジンの詳細の断面図であり、セントライザが作動位置にあることを示す図である。
【図４】２つの可動セントライザを備えた本発明の一実施形態によるターボシャフトエンジンの詳細の横断面図である。
【図５】３つの可動セントライザを備えた本発明の一実施形態によるターボシャフトエンジンの詳細の横断面図である。
【発明を実施するための形態】
【００３８】
例示および明瞭化のために、図面は、厳密に縮尺通りに、または比例して描かれているのではない。図面を参照して以下の詳細な説明の全体において、別途の指摘が無い限り、ターボシャフトエンジンの各要素は、ターボシャフトエンジンが減速ギヤボックスに水平に嵌着される位置にある場合に配置されるものとして説明される。この構成は、特に図１に示されている。さらに、「軸方向」という用語は、ターボシャフトエンジンの中心軸線Ｘ’Ｘに沿った位置に関する。「径方向」という用語は、この中心軸線に垂直な位置に関する。最後に、異なる図面の要素が同じ参照符号を有する場合、これらの要素は同一である。
【００３９】
図１に示すように、本発明によるターボシャフトエンジンは、ガス発生器６およびフリータービン７が取り付けられたケーシング５を備える。フリータービン７は、動力シャフト８と一体である。図面の実施形態によれば、フリータービン７を支持し、かつターボシャフトエンジンを減速ギヤボックス１０に結合することを可能にする動力シャフト８が、ガス発生器のシャフトの内部を通過して、その結果、動力端９はガス発生器側にある。ガス発生器６およびその作動は詳細には説明されないが、当業者には公知である。本発明は、動力シャフトがガス発生器を横断せず、したがって動力端がガス発生器の反対側にあるターボシャフトエンジンにも応用されることを理解されるであろう。
【００４０】
動力シャフト８は、ターボシャフトエンジンのＸ’Ｘ方向に延在する。加えて、動力シャフト８は、ヘリコプターの動力伝達ギヤボックスなどの減速ギヤボックス１０に結合され得るように構成されている。動力シャフト８と減速ギヤボックス１０との間の機械的結合は、図面に詳細には示されていない。減速ギヤボックス１０は、例えば、その動力端９の近傍で動力シャフト８と一体のピニオンに係合するように適合されている駆動ピニオン２０を装備された第１段を備える。
【００４１】
本発明によるターボシャフトエンジンは、さらに、可動セントライザ１２を備える。セントライザ１２は、ケーシング５によって支持され、動力シャフト８のための軸受を形成する作動位置として知られている位置から、動力シャフト８から離れている受動位置として知られている位置まで移動することができる。
【００４２】
図２は、受動位置にあるセントライザ１２を示し、図３は、作動位置にあるセントライザ１２を示す。
【００４３】
セントライザ１２は、作動位置が動力シャフト８と減速ギヤボックス１０との間の分離に相当し、受動位置が動力シャフト８と減速ギヤボックスとの間の機械的結合に相当するように構成され、ケーシング５に取り付けられる。
【００４４】
これを実施するために、可動セントライザ１２は、動力シャフト８の軸線Ｘ’Ｘに平行な軸線を有する円錐形ガイドランプ１３を備える。このランプ１３は、ケーシング５の円錐形部分１４と同じ形状であり、その結果、軸線Ｘ’Ｘに平行な軸線を有する力Ｆが、ケーシング５に向かって移動可能なセントライザ上に働き、動力シャフト８から径方向に離れる可動セントライザ１２の移動を起こすことができる。この径方向の移動は、ケーシング５の円錐形部分１４上をガイドランプ１３が摺動することによって得られる。
【００４５】
軸線Ｘ’Ｘに平行な軸線を有するこの力Ｆは、例えば減速ギヤボックス１０の駆動ピニオン２０のステータ２１のような減速ギヤボックス１０の要素と、軸線Ｘ’Ｘに対して垂直な平面内に延在する可動セントライザの停止部１５との間の接触によって生成される。減速ギヤボックス１０の駆動ピニオンのステータ２１と、可動セントライザ１２の停止部１５との間のこの接触は、ターボシャフトエンジンを減速ギヤボックス内にはめ込むことから生じる。言い換えれば、ターボシャフトエンジンが減速ギヤボックスに嵌着される場合、ステータ２１と停止部１５との間の接触が自動的に起こり、これにより、軸線Ｘ’Ｘを有する力Ｆが発生することが可能になり、したがって、可動セントライザ１２は、動力シャフト８から径方向に離れた受動位置に向かって移動されることが可能になる。
【００４６】
ターボシャフトエンジンはまた、図２および図３に示す有利な実施形態によれば、ケーシング５の軸方向部分５１と可動セントライザ１２との間に取り付けられた径方向ばね１６、およびケーシング５の径方向部分５２と可動セントライザ１２との間に取り付けられた軸方向ばね１７をさらに備える。図示の実施形態によれば、ケーシング５の径方向部分５２は、ケーシング５の円錐形部分１４の延長部である。各ばねは、ケーシングに対して固定された一方の先端部と、可動セントライザに対して摺動可能な他方の先端部とを有する。
【００４７】
したがって、これらのばねは、ケーシング５の円錐形部分１３に向かって、ケーシング５の円錐形部分１３上の可動セントライザ１２の自発的摺動に対抗する合力を形成することができる。
【００４８】
図２において、ばね１６および１７は、力Ｆの作用によって圧縮される。したがって、可動セントライザ１２は、動力シャフト８から径方向に離され、動力シャフト８と機械的に相互作用しない受動位置に移動される。この位置では、動力シャフト８の動力端９のための軸受は、減速ギヤボックス１０によって直接形成される。特に、動力シャフト８の心合わせは、減速ギヤボックス１０の駆動ピニオン２０と動力シャフトの先端部９との間の接触によって直接的に生成される。ピニオン２０と動力シャフト８との間の接触は、参照符号２２によって図２に図示されている。
【００４９】
図３では、ターボシャフトエンジンが減速ギヤボックス１０から分離されている。この状況では、力Ｆは消滅し、ばね１６および１７が可動セントライザ１２をケーシング５から押し戻すように弛緩することができる。したがって、可動セントライザ１２は、動力シャフト８と接触している作動位置にある。この接触は、可動セントライザ１２の接触面１８および動力シャフト８のセンタリング座部１１で生成される。可動セントライザ１２の接触面１８が動力シャフト８のセンタリング座部１１に接触する場合、可動セントライザ１２は動力シャフト８のための支持軸受を形成する。図３において、可動セントライザ１２はセンタリング座部１１に対して強制的に凭れ、これにより動力シャフト８のための軸受が形成され得る。したがって、動力シャフト８は自己保持される。これは、可動セントライザ１２の作動位置を含む。
【００５０】
有利な実施形態によれば、可動セントライザ１２の接触面１８は凹状であり、その結果、セントライザが作動位置で前記動力シャフト８を少なくとも部分的に取り囲む。これにより、作動位置にある可動セントライザ１２による動力シャフト８の保持が改善され得る。
【００５１】
図４に示す有利な実施形態によれば、ターボシャフトエンジンは、動力シャフト８の周りに配置され、互いに直径方向に対向する、２つの可動セントライザ４２および４３を備える。各可動セントライザ４２、４３は、例えば、図２および図３を参照して説明したようなセントライザである。
【００５２】
図５に示す別の実施形態によれば、ターボシャフトエンジンは、ターボシャフトエンジンのフリータービンの動力シャフト８の周りに均一に分布された３つの可動セントライザ４４、４５、４６を備える。図５に示す実施形態によれば、各セントライザは、各セントライザの接触面１８を除いて、図２および図３を参照して説明したものと同一であるが、この実施形態では凹状ではなく、凸状である。
【００５３】
図面に示されていない他の実施形態によれば、ターボシャフトエンジンは、凹状および凸状セントライザの両方を含むことができる。
【００５４】
図面に示されていない他の実施形態によれば、ターボシャフトエンジンは、動力シャフトの周りに分配された４つ以上の可動セントライザを備えることができる。
【００５５】
本発明はまた、本発明による少なくとも１つのターボシャフトエンジンを含むヘリコプターに関する。
【００５６】
本発明によるターボシャフトエンジンの可動セントライザは、有利には、内燃機関の動力シャフト（ピストンまたはロータ付き）に取り付けられてもよいことに留意されたい。
【００５７】
また、航空機（固定翼）のターボプロップエンジンのプロペラ減速ギヤにガスタービンを連結するために使用することもできる。
【図１】
0006782709.tif 000002
【図２】
0006782709.tif 000003
【図３】
0006782709.tif 000004
【図４】
0006782709.tif 000005
【図５】
0006782709.tif 000006